(57)【要約】【課題】確実に各収納部に収納されている薬剤を混合した後に患者に投与することを保証し、誤って薬剤を混合しないで患者に投与する事故を確実に防止し得る医療用複室容器を提供する。【解決手段】第１及び第２収納部１０，１１と、両収納部１０，１１を仕切る仕切り用弱シール部２０と、第２収納部１１に接続された薬剤排出口３２と、第２収納部と薬剤排出口３２との間を仕切る排出用弱シール部２１とを備え、両収納部１０，１１の少なくとも１つに液状薬剤が収納され、仕切り用弱シール部２０及び排出用弱シール部２１は両収納部１０，１１内の圧力を高めることにより開封するとともに、排出用弱シール部２１を開封するために必要な圧力が、仕切り用弱シール部２０を開封するために必要な圧力より大きいことを特徴とする医療用複室容器１。【選択図】図１
2011084344.tif 000002
【特許請求の範囲】
【請求項１】
矩形状に形成された容器本体と、
前記容器本体の長手方向の一端部に接続され、前記収納部から薬剤を排出する薬剤排出口と、
前記容器本体の長手方向に延び、前記容器本体を第１収納部と第２収納部とに仕切る仕切り用弱シール部と、
前記仕切り用弱シール部と連結され、少なくとも１つの前記収納部と前記薬剤排出口との間を仕切る排出用弱シール部と、
前記仕切り用弱シール部が剥離したときに、前記第１収納部に収納された薬剤を前記第２収納部に流れ込むようにするための案内用シール部と、を備え、
前記第１及び第２の収納部の少なくとも１つに液状薬剤が収納され、前記仕切り用弱シール部及び排出用弱シール部は前記収納部内の圧力を高めることにより開封するとともに、前記排出用弱シール部を開封するために必要な圧力が、前記仕切り用弱シール部を開封するために必要な圧力より大きいことを特徴とする医療用複室容器。
【請求項２】
容器本体がポリエチレンとポリプロピレンとの混合材料で形成され、前記仕切り用弱シール部及び排出用弱シール部は、前記容器本体の両側のフィルム面を熱融着することにより形成され、前記排出用弱シール部の融着強度が、前記容器本体の周縁部の融着強度より小さく、且つ前記仕切り用弱シール部の融着強度より大きいことを特徴とする請求項１に記載の医療用複室容器。
【請求項３】
矩形状に形成された容器本体と、
前記容器本体の長手方向の一端部に接続され、前記収納部から薬剤を排出する薬剤排出口と、
前記容器本体の長手方向に延び、前記容器本体を第１収納部と第２収納部とに仕切る仕切り用弱シール部と、
前記仕切り用弱シール部と連結され、少なくとも１つの前記収納部と前記薬剤排出口との間を仕切る排出用弱シール部と、
前記仕切り用弱シール部が剥離したときに、前記第１収納部に収納された薬剤を前記第２収納部に流れ込むようにするための案内用シール部と、を備え、
前記第１及び第２の収納部の少なくとも１つに液状薬剤が収納され、前記仕切り用弱シール部及び排出用弱シール部は前記収納部内の圧力を高めることにより開封するとともに、前記排出用弱シール部を開封するために必要な圧力が、前記仕切り用弱シール部を開封するために必要な圧力と同等であることを特徴とする医療用複室容器。
【請求項４】
前記仕切り用弱シール部が、前記収納部に突出する少なくとも１つの突出部を備えるように形成されていることを特徴とする請求項１から３のいずれかに記載の医療用複室容器。
【発明の詳細な説明】
【技術分野】
【０００１】
本発明は、医療用複室容器、詳しくは同時に配合すると経時変化を起こすような不安定な各種薬剤（液剤、粉末若しくは固形剤）を個別に収納する複数の室を備え、各室間を仕切っている弱シール部を剥離開封することにより、各室内に収納されている薬剤を無菌状態で且つ異物を発生させることなしに混合できる医療用複室容器に関する。
【背景技術】
【０００２】
静脈注射により患者に投与される薬剤の中には、予め配合すると望ましくない経時的変化を起こすような不安定な薬剤がある。例えばアミノ酸輸液とブドウ糖輸液を配合して保存しておくと、いわゆるメイラード反応によって混合液が褐変する。また、脂肪乳剤と電解質溶液とを配合して保存しておくと、脂肪分が凝集を生じたり、リン酸含有液とカルシウム含有液を配合しておくと、リン酸カルシウムの沈殿を生じ、望ましくない変化を起こす等である。
【０００３】
このような薬剤には、混合前の成分を個別に収納する医療用複室容器が用いられることが多い。この医療用複室容器は、個別に収納する複数の収納部と、収納部を仕切っていて、外部から圧力を加えることにより剥離し得る仕切り用弱シール部とを備えたものである。
【０００４】
図１２はそのような従来の医療用複室容器の一例を示す平面図であり、図１３は図１２のＸ―Ｘ線断面図である。
【０００５】
医療用複室容器の各収納部１０，１１には、予め混合或いは溶解しておくと望ましくない各種薬剤ａ，ｂがそれぞれ収納され、これらの薬剤ａ，ｂは仕切り用弱シール部２０により隔離された状態で使用時まで安全且つ確実に保存される。使用時には収納部１０又は１１を押圧すると仕切り用弱シール部２０が剥離し、両収納部１０，１１内は連通状態となり、両薬剤ａ，ｂを速やかに混合或いは溶解できる。
【０００６】
更に医療用複室容器は、一端に掛吊孔３０を備え、他端にゴム栓を有する薬液排出口３２を備える。患者に混合された薬剤を投与する際には、容器を掛吊孔３０で支柱等に吊り下げた後、容器の一端に設けられたゴム栓に刺栓針を刺入しカテーテルの先端の注射針から患者に投与する。
【０００７】
しかしながら、このような医療用複室容器は、薬液排出口３２側の収納部１１に液剤を収納している場合が多く、仕切り用弱シール部２０を剥離せずに、ゴム栓に刺栓針を刺入し、薬液排出口３２から液剤を取り出すという可能性がある。
【発明の概要】
【発明が解決しようとする課題】
【０００８】
本発明は、前記従来技術の問題点を解消すべく、確実に各収納部に収納されている薬剤を混合した後に患者に投与することを保証し、薬剤を誤って混合しないで患者に投与する事故を確実に防止し得る医療用複室容器を提供することを課題とする。
【課題を解決するための手段】
【０００９】
本発明の前記課題は、複数の収納部と、該収納部を仕切る仕切り用弱シール部と、前記収納部に接続された薬剤排出口と、少なくとも１つの前記収納部と前記薬剤排出口との間を仕切る排出用弱シール部とを備え、前記複数の収納部の少なくとも１つに液状薬剤が収納され、前記仕切り用弱シール部及び排出用弱シール部は前記収納部内の圧力を高めることにより開封するとともに、前記排出用弱シール部を開封するために必要な圧力が、前記仕切り用弱シール部を開封するために必要な圧力より大きいことを特徴とする医療用複室容器により達成される（第１発明）。
【００１０】
容器本体がポリエチレンとポリプロピレンとの混合材料で形成され、前記仕切り用弱シール部及び排出用弱シール部は、前記容器本体の両側のフィルム面を熱融着することにより形成され、前記排出用弱シール部の融着強度が、前記容器本体の周縁部の融着強度より小さく、且つ前記仕切り用弱シール部の融着強度より大きいことも可能である。
【００１１】
或いは、本願発明の前記課題は、複数の収納部と、該収納部を仕切る仕切り用弱シール部と、前記収納部に接続された薬剤排出口と、少なくとも１つの前記収納部と前記薬剤排出口との間を仕切る排出用弱シール部とを備え、前記複数の収納部の少なくとも１つに液状薬剤が収納され、前記仕切り用弱シール部及び排出用弱シール部は前記収納部内の圧力を高めることにより開封するとともに、前記排出用弱シール部を開封するために必要な圧力が、前記仕切り用弱シール部を開封するために必要な圧力と同等であることを特徴とする医療用複室容器によっても達成される（第２発明）。
【００１２】
前記仕切り用弱シール部は、前記収納部に突出する少なくとも１つの突出部を備えるように形成されることも可能である。
【００１３】
前記排出用弱シール部は、前記排出用弱シール部が前記薬剤排出口をその近傍で囲むように弧状に形成されるとともに、前記仕切り用弱シール部が、前記排出用弱シール部から収納部形成に必要な間隔をおいて該排出用シール部を囲むように弧状に形成されるようにすることも可能である。
【００１４】
また、本発明の前記課題は、薬剤が収納され封止用弱シール部により封止された少なくとも１つの内容器と、前記内容器を収納するとともに該内容器の外側に薬剤を収納した外容器と、前記外容器に接続された薬剤排出口と、前記外容器における薬剤収納部と前記薬剤排出口との間を仕切る排出用弱シール部とを備え、前記薬剤収納部及び内容器の少なくとも１つに液状薬剤が収納され、前記封止用弱シール部及び排出用弱シール部は、それぞれ、前記内容器及び薬剤収納部内の圧力を高めることにより開封するとともに、前記排出用弱シール部を開封するために必要な圧力が、前記封止用弱シール部を開封するために必要な圧力より大きいことを特徴とする医療用複室容器によっても達成される（第３発明）。
【００１５】
さらに、本発明の前記課題は、薬剤が収納され封止用弱シール部により封止された複数の内容器と、前記複数の内容器を収納する外容器と、前記外容器に接続された薬剤排出口とを備え、前記複数の内容器の少なくとも１つに液状薬剤が収納され、前記封止用弱シール部は、前記内容器内の圧力を高めることにより開封することを特徴とする医療用複室容器によっても達成される（第４発明）。
【発明の効果】
【００１６】
以上から明らかなように、本発明（第１発明）の医療用複室容器によれば、仕切り用弱シール部及び排出用弱シール部が収納部内の圧力を高めることにより開封する構造において、前記排出用弱シール部を開封するために必要な圧力が、前記仕切り用弱シール部を開封するために必要な圧力より大きい構成とすることにより、仕切り用弱シール部が開封した後に、排出用弱シール部が開封し、混合後の薬剤を薬剤排出口より排出することが確実となる。
【００１７】
容器本体がポリエチレンとポリプロピレンとの混合材料で形成され、前記仕切り用弱シール部及び排出用弱シール部は、前記容器本体の両側のフィルム面を熱融着することにより形成され、両シール部の融着の際の加熱温度、圧力等の差を設け、排出用弱シール部の融着強度が、容器本体の周縁部の融着強度より小さく、且つ前記仕切り用弱シール部の融着強度より大きい構成とすることにより、混合後の薬剤を薬剤排出口より排出することが確実となる。
【００１８】
また、本発明（第２発明）の医療用複室容器によれば、排出用弱シール部を開封するために必要な圧力が、仕切り用弱シール部を開封するために必要な圧力と同等である構成とすることにより、仕切り用弱シール部と排出用弱シール部とを同一条件にて融着して形成することができるとともに、仕切り用弱シール部が開封する前に排出用弱シール部のみが開封されることを防止できる。
【００１９】
また、本発明（第３発明）の医療用複室容器によれば、外容器の薬剤収納部に一の薬剤を収納した内容器を備えるとともに、排出用弱シール部によって薬剤収納部と薬剤排出口とが仕切られているため、例えば薬剤を混合する前に薬剤排出口に刺栓針を刺入し、薬剤を取り出そうとした場合であっても、混合前の薬剤が流れ出すのを防止することができる。また、排出用弱シール部の剥離に必要な圧力の強度が、内容器の封止用弱シール部よりも高くされているため、この複室容器内の圧力を高めたときに、排出用弱シール部に先立って、封止用弱シール部を剥離させることができる。その結果、混合後の薬剤のみを薬剤排出口から排出することができる。
【００２０】
また、本発明（第４発明）の医療用複室容器によれば、混合する薬剤を内容器にそれぞれ収納し、これら内容器を外容器内に収納しているため、薬剤を混合する前に、誤って薬剤排出口が開口された場合であっても、混合前の薬剤が排出されるのを防止することができる。また、この複室容器では、予め薬剤が収納された内容器を準備し、これらを外容器内に収納することにより製造されるため、製造工程を簡素化することが可能となる。
【図面の簡単な説明】
【００２１】
【図１】本発明に係る医療用複室容器の第１実施形態の斜視図である。
【図２】図１の医療用複室容器の平面図である。
【図３】第１実施形態の医療用複室容器の他の例を示す平面図である。
【図４】第１実施形態の医療用複室容器の異なる例を示す平面図である。
【図５】第１実施形態の医療用複室容器のさらに他の例を示す平面図である。
【図６】第１実施形態の医療用複室容器のさらに異なる他の例を示す平面図である。
【図７】本発明に係る医療用複室容器の第２実施形態を示す平面図である。
【図８】第２実施形態の仕切り用弱シール部における突出部の作用を説明する図である。
【図９】第２実施形態の医療用複室容器の他の例を示す平面図である。
【図１０】本発明に係る医療用複室容器の第３実施形態を示す平面図である。
【図１１】本発明に係る医療用複室容器の第４実施形態を示す平面図である。
【図１２】従来の医療用複室容器の一例を示す平面図である。
【図１３】図１２のＸ―Ｘ線矢視断面図である。
【発明を実施するための形態】
【００２２】
以下、本発明に係る医療用複室容器の実施形態について図面を参照しつつ説明する。以下の説明においては、複数の実施形態を通じて、同一又は同種の部分に同一の符号を付す。
【００２３】
（第１実施形態）本発明に係る医療用複室容器の第１実施形態について詳細に説明する。図１は本発明に係る医療用複室容器の第１実施形態の斜視図であり、図２は図１の医療用複室容器の平面図である。
【００２４】
図１に示すように、医療用複室容器１は、周縁部２が融着され矩形状に形成された容器本体３と、この容器本体３の長手方向に並べて配置された第１収納部１０及び第２収納部１１と、２つの収納部１０，１１を仕切る剥離可能な仕切り用弱シール部２０と、第２収納部１１に接続されゴム栓３１を有する薬剤排出口３２と、第２収納部１１と薬剤排出口３２との間を仕切る剥離可能な排出用弱シール部２１とを備える。また、各収納部１０，１１には、予め混合或いは溶解しておくと望ましくない各種薬剤ａ，ｂがそれぞれ収納されている。
【００２５】
医療用複室容器１は、２枚の平層又は複層のフィルムの周縁部を熱融着又は接着することにより形成される袋状の容器とすることができる。フィルムの材質としては、ポリエチレン、ポリプロピレン、ポリスチレン等の熱可塑性樹脂等、種々の樹脂を採用することができる。
【００２６】
仕切り用弱シール部２０及び排出用弱シール部２１は、種々の態様により開封可能に形成される。例えば、医療用複室容器１を形成するフィルムの両側を熱融着によって接着し、仕切り用弱シール部２０及び排出用弱シール部２１を形成することができる。排出用弱シール部２１は、図１に示すように仕切り用弱シール部２０と平行に形成されることも可能であるし、例えば図３に示すように薬剤排出口３２の周囲に円弧状に形成されることも可能である。
【００２７】
排出用弱シール部２１を開封するために必要な圧力は、仕切り用弱シール部２０を開封するために必要な圧力より大きいものとされる。これにより、各収納部を押圧して薬剤ａ，ｂを混合する際、仕切り用弱シール部２０が排出用弱シール部２１より先に開封するので、排出用弱シール部２１のみが開封することを防止することができる。さらに、誤って薬剤を混合しないで患者に投与する事故を確実に防止し得る。好ましくは、排出用弱シール部２１と仕切り用弱シール部２０を剥離するために必要な開封強度差（医療用複室容器を押圧したときの重量）は、約５ｋｇ〜約１０ｋｇとされる。
【００２８】
以上のように本実施形態によれば、排出用弱シール部２１と仕切り用弱シール部２０とを剥離するために必要な圧力を調整することにより、各収納部１０，１１に収納された薬剤ａ，ｂを混合する際には、仕切り用弱シール部２０が剥離した後に、排出用弱シール部２１が剥離させることが可能となる。
【００２９】
即ち、排出用弱シール部２１が剥離して患者への薬剤の投与が可能となる前に、各収納部内に収納された薬剤ａ，ｂの混合乃至溶解は終了している。よって、確実に混合された薬剤を薬剤排出口３２より排出することが可能となる。
【００３０】
排出用弱シール部２１と仕切り用弱シール部２０とを剥離するために必要な圧力を調整するために、種々の方法を用いることができる。例えば、容器本体をポリエチレン（ＰＥ）で形成することにより、排出用弱シール部２１の融着強度が、容器本体の周縁部２の融着強度より小さく、且つ仕切り用弱シール部２１の融着強度より大きいものとすることができる。
【００３１】
このような融着強度の差を設けるには、例えば、排出用弱シール部２１の加熱融着時間を、容器本体の周縁部２の加熱融着時間より短く、仕切り用弱シール部の加熱融着時間より長いものとする。或いは、排出用弱シール部の融着圧力を、容器本体の周縁部２の融着圧力より低く、仕切り用弱シール部の融着圧力より高い圧力で行うことにより、融着強度を調整することが可能である。
【００３２】
このように複室容器の各部分における融着強度を調整することにより、排出用シール部２１のみが先に開封されることを防止することができる。これにより、混合後の薬剤を薬剤排出口３２より排出することが確実となる。この他、後述するように、各シール部２０，２１の幅を調整することによっても仕切り用弱シール部２０を先に開封することができる。
【００３３】
容器本体３の周縁部２は排出用弱シール部２１より融着強度が高いものとされているので、排出用弱シール部２１が開封した後においても容器本体３の周縁部２が開封することが防止され、収納部１０，１１より薬液が漏出することが防止される。
【００３４】
或いは、排出用弱シール部２１を剥離するために必要な圧力が、仕切り用弱シール部２０を剥離するために必要な圧力と同等とされる構成でもよい。これにより、仕切り用弱シール部２０と排出用弱シール部２１がほぼ同時に開封し、排出用弱シール部２１のみが開封されることがないので、患者に投与前に各収納部の薬剤を確実に混合させることができる。
【００３５】
また、このように仕切り用弱シール部２０と排出用弱シール部２１を開封するために必要な圧力をほぼ同等のものとすることにより、仕切り用弱シール部２０と排出用弱シール部２１とを同一条件にて融着して形成することができるので、複室容器１の製造が容易である。特に、薬剤排出口３２側の第２収納部１１に粉末剤を収納し、第１収納部１０に薬液を収納する複室容器においては、薬液排出口３２から遠い側にある第１収納部１０を押圧することになるので、仕切り用弱シール部２０が開封して薬液と粉末剤とが必ず混合し、仕切り用弱シール部２０が開封する前に排出用弱シール部２１のみが開封することを未然に防ぐことができる。
【００３６】
また、仕切り用弱シール部の形状は上記した直線状のもの以外に例えば曲線状にすることもできる。図４に示すように、この例では、排出用弱シール部２１が薬剤排出口３２を囲むように円弧状に形成されるとともに、その外側に仕切り用弱シール部２０が排出用弱シール部２１とほぼ同心の円弧状に形成されており、容器本体３内の上部に第１収納部１０、下部に第２収納部２１を形成している。各シール部２０，２１をこのように構成することでも上記と同様の効果を得ることができる。
【００３７】
本実施形態では、２つの収納部１０，１１を容器本体３の長手方向に並べて配置しているが、例えば図５に示すように、長手方向を横切る方向に並べて配置してもよい。同図に示すように、この医療用複室容器１では、薬剤排出口３２を囲むように逆Ｖ字形の排出用弱シール部２１が設けられている。そして、この排出用弱シール部２１の頂部から対向する周縁部２まで、排出用弱シール部２１よりも狭い幅に形成された仕切り用弱シール部２０が容器本体３の長手方向に延び、容器本体３の左側に第１収納部１０、右側に第２収納部１１を形成している。また、同図に示すように、排出用弱シール部２１の頂部から容器本体３の側方の周縁部２に向けて排出用弱シール部２１より幅広の案内用シール部２２を形成するのが望ましい。このような案内用シール部２２を設けると、仕切り用弱シール部２０が剥離したときに、第１収納部１０に収納された薬剤をすべて第２収納部１１に流れ込むようにすることができる。
【００３８】
この医療用複室容器１では、排出用弱シール部２１の幅を、仕切り用弱シール部２０の幅よりも広くすることにより、排出用弱シール部２１の剥離強度を高め、仕切り用弱シール部２０が排出用弱シール部２１よりも先に剥離するようになっている。したがって、両弱シール部２０，２１における融着時間或いは融着圧力を同一にしたままで、両弱シール部２０，２１の剥離強度に差を設けることができるため、容器１の製造時間の短縮や製造コストの低減が可能になる。また、このようなシール部の剥離強度の強弱を設けるためには、シール部の幅を調整するだけでなく、上記した融着時間の調整等種々の方法をとることもできる。
【００３９】
なお、案内用シール部２２の幅は、上記したように排出用弱シール部２１の幅よりも広くして容易に剥離しないようにしているが、案内用シール部２２の剥離を確実に防止するため、例えば図６に示すように、案内用シール部２２と周縁部２とで囲まれる部分を融着し、案内用シール部２２を周縁部２と一体化させるようにしてもよい。
【００４０】
（第２実施形態）本発明に係る医療用複室容器の第２実施形態について図７及び図８を参照しつつ説明する。図７は第２実施形態に係る医療用複室容器の平面図であり、図８の（ａ）は突出部の作用を説明する平面図、図８の（ｂ）は図８（ａ）のＡ−Ａ線断面図である。
【００４１】
この第２実施形態が先に説明した第１実施形態と相違する主な点は、仕切り用弱シール部の剥離に必要な圧力を相対的に低くするための突出部が設けられている点である。
【００４２】
図７に示すように、この医療用複室容器１では、仕切り用弱シール部２０と排出用弱シール部２１とが同一の幅で形成されるとともに、同一の融着時間及び融着圧力で融着されている。また、仕切り用弱シール部２０は、その中間にＶ字形に形成された突出部２０ａを備えており、以下に示すように、この突出部２０ａによって仕切り用弱シール部２０を排出用弱シール部２１より先に開封させることができる。
【００４３】
図８（ａ）に示すように、収納部１０，１１内の圧力が高くなると、仕切り用弱シール部２０には図中の矢印の方向に圧力が作用する。このとき、圧力はシール部２０に対して垂直に且つ等しく作用するため、突出部２０ａの頂部Ｂ付近の領域に作用する総圧力は、シール部２０の他の領域に比べて高くなる。こうして、図８（ｂ）に示すように、この圧力は容器本体３を構成するフィルムを離間させる方向に作用し、収納部１０，１１内の圧力が高くなると、仕切り用弱シール部２０は、突出部２０ａの頂部Ｂから剥離を開始する。これにより、圧力の作用下に剥離が急速に進行し、第１収納部１０と第２収納部１１とが連通して薬剤ａ，ｂが混合される。これに続いて、容器本体３をさらに押圧すると、排出用弱シール部２１が剥離し薬剤排出口３２から混合された薬剤が排出可能となる。
【００４４】
以上のように、本実施形態では、排出用弱シール部２０にＶ字形の突出部２０ａを設けているため、仕切り用弱シール部２０と排出用弱シール部２１とが同一の幅で形成され、同一の融着温度及び融着圧力で融着されている場合であっても、収納部１０，１１に圧力を加えたときに突出部２０ａが最も早く剥離を開始し、排出用弱シール部２１に先立って仕切り用弱シール部２０を開封させることができる。その結果、両収納部１０，１１に収納された薬剤ａ，ｂの混合が確実に行われた後に、排出用弱シール部２１を開封させることができ、混合した薬剤を薬剤排出口３２から排出させることができる。
【００４５】
また、この実施形態では、仕切り用弱シール部２０の形状のみを変化させただけで、弱シール部２０，２１の剥離に必要な圧力を調整することができるため、両弱シール部２０，２１の融着時間等を調整する必要がなく、同一の条件で両弱シール部２０，２１を融着することができる。その結果、容器１の製造時間の短縮や製造コストの低減が可能になる。特に、仕切り用弱シール部１０と排出用弱シール部１１とが同一の幅で形成されているため、融着のムラをなくすることができ、両弱シール部１０，１１全体を均一に融着することができる。
【００４６】
なお、本実施形態では、収納部１０，１１を容器本体３の長手方向に並べた医療用複室容器１に突出部２０ａを形成しているが、この突出部２０ａは、例えば図９に示すように、収納部１０，１１を容器本体３の長手方向を横切る方向に並べた場合であっても適用できることは言うまでもない。また、突出部２０ａの数は、１つに限定されるものではなく、同図に示すように、複数設けたり、或いはＶ字形の頂部の向く方向を変更してもよい。
【００４７】
また、突出部の形状はＶ字形に限定されるものではなく、圧力が集中しやすい突部を備えた形状であればよい。
【００４８】
（第３実施形態）本発明に係る医療用複室容器の第３実施形態について図１０を参照しつつ説明する。図１０は第３実施形態に係る医療用複室容器の平面図である。
【００４９】
本実施形態に係る医療用複室容器は、仕切り用弱シール部を設けず、混合する薬剤のうち少なくとも１つが収納された袋状の内容器を容器本体内に備えている点が、第１実施形態と相違している。
【００５０】
図１０に示すように、この医療用複室容器１は、薬剤排出口３２を囲む円弧状の排出用弱シール部２１が設けられ、このシール部２１により外容器としての容器本体４の周縁部２によって囲まれる薬剤収納部１２と、薬剤排出口３２とが仕切られている。薬剤収納部１２には、混合する２種類の薬剤のうち一方の薬剤ａが直接収納されるとともに、袋状に形成された内容器１３が収納されている。内容器１３は、２枚のフィルムを重ねてその周縁部を融着してなる封止用弱シール部２３を備え、その内部にもう一方の薬剤ｂが収納されている。封止用弱シール部２３は、排出用弱シール部２１より低い融着強度で融着されており、低い圧力で剥離するように構成されている。
【００５１】
そして、薬剤を混合する際に、容器本体４を押圧すると、その内部に収納されている内容器１３にも圧力が作用し、内容器１３内の圧力が高まる。これにより封止用弱シール部２３が排出用弱シール部２１より先に剥離して、内容器１３に収納されていた薬剤ｂが容器本体４の薬剤収納部１２に拡散し、この中で薬剤ａと混合される。その後、薬剤排出口３２に刺栓針を刺入すると、混合された薬剤を排出することができる。
【００５２】
以上のように、本実施形態によれば、排出用弱シール部２１によって薬剤収納部１２と薬剤排出口３２とが仕切られているため、薬剤を混合する前に誤って薬剤排出口３２を開口した場合であっても、混合前の薬剤が流れ出すのを防止することができる。また、排出用弱シール部２１の剥離に必要な圧力が、封止用弱シール部２３よりも高くされているため、容器本体４を押圧したとき、排出用弱シール部２１に先立って、封止用弱シール部２３を剥離させることができる。その結果、排出用弱シール部２１が剥離したときには、封止用弱シール部２３は既に剥離して薬剤が混合された状態になっているため、混合された薬剤のみを薬剤排出口３２から排出することができる。さらに、上記した第１または第２実施形態のように、仕切り用弱シール部２０を設ける必要がないため、製造工程を簡素化することができる。
【００５３】
本実施形態では、内容器１３の周縁部を封止用弱シール部２３としているが、これに限定されるものではなく、例えば内容器１３の一部のみに開口部を設け、この開口部を封止するように封止用弱シール部を設けてもよい。
【００５４】
（第４実施形態）本発明に係る医療用複室容器の第４実施形態について図１１を参照しつつ説明する。図１１は第４実施形態に係る医療用複室容器の平面図である。
【００５５】
本実施形態に係る医療用複室容器では、排出用弱シール部及び仕切り用弱シール部を設けず、混合する薬剤が収納された内容器を容器本体内に備えている点が、第１実施形態と相違している。
【００５６】
図１１に示すように、この医療用複室容器１は、外容器としての容器本体４の周縁部２によって囲まれる収納部１４に、混合する薬剤ａ，ｂをそれぞれ収納した袋状の２つの内容器１５，１６が収納されている。この内容器１５，１６は、２枚のフィルムを重ねてその周縁部を融着してなる封止用弱シール部２３をそれぞれ備え、その内部に薬剤ａ，ｂを収納している。各内容器１５，１６は矩形状に形成され、各内容器１５，１６の封止用弱シール部２３は、ほぼ同一の強度で融着されている。
【００５７】
そして、薬剤を混合する際に、容器本体４を押圧すると、その内部に収納されている内容器１５，１６にも押圧力が作用し、各内容器１５，１６内の圧力が高まる。このようにして容器本体４を押圧すると、各封止用弱シール部２３がほぼ同時に剥離して、各内容器１５，１６に収納されていた薬剤ａ，ｂが容器本体４の収納部１４に拡散し、２つの薬剤ａ，ｂが混合される。これに続いて、薬剤排出口３２に刺栓針を刺入すると、混合された薬剤を排出することができる。
【００５８】
以上のように、本実施形態によれば、混合する各薬剤ａ，ｂを内容器１５，１６にそれぞれ収納し、これら内容器１５，１６を容器本体４内に収納しているため、容器本体４を押圧する前に、誤って薬剤排出口３２を開口した場合であっても、薬剤が排出されるのを防止することができる。また、この容器１は、予め薬剤が収納された内容器１５，１６を準備し、これらを容器本体４に収納することにより製造されるため、上記した第１ないし第３実施形態のように、仕切り用弱シール部２０及び排出用弱シール部２１を設ける必要がなく、製造工程を簡素化することができる。
【００５９】
なお、封止用弱シール部２３は、上記第３実施形態と同様に、内容器１５，１６の一部のみに開口部を設け、この開口部を封止するように設けてもよい。
【００６０】
上記各実施形態の医療用複室容器では、２種類の薬剤を混合可能に構成されているが、これに限定されるものではなく、２以上の収納部、或いは、２以上の内容器を備えるものであってもよい。
【符号の説明】
【００６１】
１  医療用複室容器
２  周縁部
３  容器本体
４  容器本体（外容器）
１０，１１  収納部
１２  薬剤収納部
１３，１５，１６  内容器
２０  仕切り用弱シール部
２０ａ  突出部
２１  排出用弱シール部
２３  封止用弱シール部
３２  薬剤排出口
【図１】
2011084344.tif 000003
【図２】
2011084344.tif 000004
【図３】
2011084344.tif 000005
【図４】
2011084344.tif 000006
【図５】
2011084344.tif 000007
【図６】
2011084344.tif 000008
【図７】
2011084344.tif 000009
【図８】
2011084344.tif 000010
【図９】
2011084344.tif 000011
【図１０】
2011084344.tif 000012
【図１１】
2011084344.tif 000013
【図１２】
2011084344.tif 000014
【図１３】
2011084344.tif 000015